(57)【要約】【課題】  コンパクトな構成であって、十分な通気性能が得られると共に、強風時における雨雪の小屋裏内等への進入を確実に阻止することができる通気材及びそれを用いた棟換気材を提供することを課題とする。【解決手段】  一端面から他端面へ抜ける通気路６を縦横に連設して成る通気ブロック２、３を一対、適宜間隔を置いて上面板４及び下面板５を介して連結して成り、前記一対の通気ブロックの前記通気路６の孔径が互いに異なることを特徴とする。【選択図】図１
2008156933.tif 000002
【特許請求の範囲】
【請求項１】
一端面から他端面へ抜ける通気路を縦横に連設して成る通気ブロックを一対、適宜間隔を置いて上面板及び下面板を介して連結して成り、前記一対の通気ブロックの前記通気路の孔径が互いに異なることを特徴とする通気材。
【請求項２】
前記通気路の孔径が小の方の前記通気ブロックの前記通気路の長さは、上段から下段に向かって徐々に長尺化される請求項１に記載の通気材。
【請求項３】
前記一対の通気ブロック間に形成される空間部にフィルターが配設される請求項１に記載の通気材。
【請求項４】
前記一対の通気ブロック間の空間部の両端は、前記上面板又は下面板の両端部に延設される端面閉塞板で閉塞される請求項１乃至３のいずれかに記載の通気材。
【請求項５】
請求項１乃至４のいずれかに記載の通気材を一対、通気路の孔径の小さいもの同士を対向させて山形に連結して成る棟換気材。
【請求項６】
前記一対の通気材の連結は、前記各通気材の上面板を共通の１枚の板材とすることにより行なわれる請求項５に記載の棟換気材。
【発明の詳細な説明】
【技術分野】
【０００１】
本発明は、通気材及びそれを用いた棟換気材、より詳細には、家屋の軒下、壁面の通気層入口、屋根面の棟部等に設置され、雨雪の進入を防止しつつその部分の換気を行なう通気材及びそれを用いた棟換気材に関するものである。
【背景技術】
【０００２】
従来の棟換気材としては、例えば特許第２６１０３４２号公報に記載のものが知られている（図５参照）。それは、棟方向に開口する多数の通気路２３を設けた２枚の板状通気材２１、２２を逆Ｖ字形を呈するように連結したものである。
【０００３】
この構成の場合、強風雨時等に雨雪が通気路を通って屋根裏等に滴下することを防止するためには、各換気材の長さをかなり長いものとしなければならないが、通気路が長くなればなるだけ通気抵抗が増し、通気量の低下を招く。また、材料コストがかかり、重量が増すために施工時及び運搬時に取り扱いにくくなり、更に、その長さ分設置スペースも多く必要となるという問題もある。
【０００４】
この問題を解決するものとして、図６に示すような、山形を呈する上面板３１の幅方向両端部裏面に、それぞれ外側面Ａから内側面Ｂへと抜ける多数の通気路３４を縦横に連設した通気材３２、３３を設置し、前記各通気材３２、３３の下面に、そこから更に内方に延びる下面板３８を定着し、前記各下面板３８の内端部を、前記上面板３１との間に通気スペースを残して上方に折曲することにより水切り板３９を形成して成る棟換気装置が提唱されている（特開２００１−３２３６１９）。
【０００５】
この棟換気装置の場合は、吹き上げられてきた雨雪は、通気路３４を通過する際の通気抵抗によって勢いがそがれ、その殆どが下面板３８上に落ち、また、水切り板３９に当たって落ちるため、雨雪の小屋裏側への流入が阻止される。
【０００６】
しかるに、この棟換気装置の場合は、雨雪の進入を通気路３４を通過する際の抵抗によって阻止しようとするものであるため、当然のことながら通気路３４は、それ相応の狭さと長さとを兼ね備えたものとする必要がある。このことは反面、通気性能が落ちることを意味する。
【０００７】
更に、図７に示すような、複数の通気部材４０を空間４１を保持して配置し、その空間４１部分において、風と共に通気部材４０を通り抜けて進入してきた雨水を滴下させようとする構造体も提唱されている（特許第３２７７２３２号公報）。特許第３４６５００８号公報に記載の通気部材も、同様の考え方によるものである。
【０００８】
しかるに、これらの構成においては、各通気材の通気孔のサイズは均一であって、十分な通気性を確保しようとしてその孔径を大とする場合は、雨水や虫、塵埃等の進入を極力防止するために、通気路の長さを十分長くする必要があり、その結果、通気材全体の長さが長く且つ重いものとなるという問題が起こる。逆に、風、雨水、虫、塵埃等の通過抵抗を大にするために通気路の孔径を小さくすると、十分な通気性が得られないことになる。
【０００９】
【特許文献１】特許第２６１０３４２号公報
【特許文献２】特開２００１−３２３６１９号公報
【特許文献３】特許第３２７７２３２号公報
【特許文献４】特許第３４６５００８号公報
【発明の開示】
【発明が解決しようとする課題】
【００１０】
上述したように、従来の通気材並びに棟換気装置の場合は、十分な通気性能を確保するために通気路の孔径を拡げた場合には、吹き上げてくる雨雪の進入を阻止し切れなくなるおそれがあるため、通気路の拡張には限界があり、逆に、その孔径を狭めた場合には、その分通気性能が低下するという問題があった。
【００１１】
そこで本発明は、コンパクトな構成であって、十分な通気性能が得られると共に、強風時における雨雪の小屋裏内等への進入を確実に阻止することができる通気材及びそれを用いた棟換気材を提供することを課題とする。
【課題を解決するための手段】
【００１２】
上記課題を解決するための本発明に係る通気材は、一端面から他端面へ抜ける通気路を縦横に連設して成る通気ブロックを一対、適宜間隔を置いて上面板及び下面板を介して連結して成り、前記一対の通気ブロックの前記通気路の孔径が互いに異なることを特徴とする。
【００１３】
前記通気路の孔径が小の方の前記通気ブロックの前記通気路の長さは、上段から下段に向かって徐々に長尺化されることがあり、前記一対の通気ブロック間に形成される空間部にフィルターが配設されることがある。また、前記一対の通気ブロック間の空間部の両端は前記上面板又は下面板の両端部に延設される端面閉塞板で閉塞することができる。
【００１４】
また、上記課題を解決するための本発明に係る棟換気材は、上記通気材を一対、通気路の孔径の小さいもの同士を対向させて山形に連結して成る。好ましくは、前記一対の通気材の連結は、前記各通気材の上面板を共通の１枚の板材とすることにより行なわれる。
【発明の効果】
【００１５】
本発明に係る通気材及び棟換気材は上記構成であって、通気路の孔径の大きい通気ブロックが外気側に配置されることにより、十分な通気性能が確保され、風と共に吹き込んでくる雨雪は、中間の空間部において勢いをそがれ、且つ、その奥に通気路の孔径が狭い通気ブロックがあるため、そこを通り抜けることができない。即ち、十分な通気性能を確保し得ると共に、雨雪の進入を確実に防止し得る効果がある。
【００１６】
また、雨雪の吹込力は中間の空間部によって緩衝され、殊に空間部にフィルターを配した場合には緩衝力が増し、その分、通気路を長くする必要がなくなり、全体をコンパクト且つ軽量なものとすることができ、材料コストを低減し得る効果がある。
【発明を実施するための最良の形態】
【００１７】
本発明の好ましい実施の形態を添付図面に依拠して説明する。図１は本発明に係る通気材１の構成例を示すものであり、図２、図３は、その通気材１を利用した本発明に係る棟換気材１１の構成例を示すものである。
【００１８】
図１に示されるように、通気材１は、一対の通気ブロック２、３を適宜間隔を置いて、上面板４及び下面板５を介して連結して成る。各通気ブロック１は、一端面から他端部に向かう、縦横に連設された多数の通気路６を有する。図示した各通気ブロック２、３は、側面が、上方から下方に向かって先細状態になるように形成されている。
【００１９】
一対の通気ブロック２、３のうち、外気側に配置されることになる通気ブロック２の通気路６の孔径は、室内側に配置されることになる通気ブロック３の通気路６の孔径よりも大となるようにされる。例えば、通気ブロック２の通気路６の孔径は５ｍｍ×６ｍｍ、通気ブロック２の通気路６の孔径は２ｍｍ×６ｍｍとされる。
【００２０】
上面板４は、適宜間隔を保持して対置された通気ブロック２、３の上面に、例えば両面テープで固定され、また、下面板４は、それらの下面に、例えば両面テープで固定される。
【００２１】
好ましくは、上面板４又は下面板５の両端縁の中間部に、通気ブロック２，３間に形成される空間部７の大きさに対応するサイズの端面閉塞板８、９が突設される。図示した例では端面閉塞板８、９は下面板５の方に形成されており、この場合端面閉塞板８、９は、立上げられることにより、空間部７の両側を閉塞する。もちろん、端面閉塞板８、９は、上面板４及び下面板５とは別体の単独部材であってもよい。
【００２２】
空間部７には、必要に応じてフィルター１０が配備される。フィルター１０は、通気を阻害しないように、粗目のものが用いられる。
【００２３】
本発明に係る通気材１は、単独で壁面の通気層等に配置して用いることもあるが、２つの通気材１を組み合わせて棟換気材１１を構成し、棟開口部上に配置して用いることもある。
【００２４】
棟換気材１１は、２つの通気材１、１を、その孔径の小さい通気ブロック３同士を対向させて結合し、山形に折曲して構成される（図２、図３）。好ましくは、２つの通気材１、１の結合は、それらの上面板４を共通の１枚の板材で構成することによって行なう。その場合、上面板４には、折曲線１２が刻設され、そこから折曲して適宜角度の山形とされる。通気材１、１の結合に際しては、通気ブロック３、３の端面の上端部同士をつなげることとしてもよいが、図２、図３に示すように、上面板４を介して離して連結することとしてもよい。
【００２５】
上記構成の棟換気材１１は、従来のものと同様に、棟勾配に合わせた山形として、棟開口に被せるように配置する。その場合、通気路６の孔径の大きい通気ブロック２が軒先側に配置されるため、風と共に雨雪が入り込みやすくなるが、通気ブロック２を抜けたところに空間部７があるため、雨雪の流れに乱れが生じて勢力をそがれ、その多くはこの空間部７通過の際に下方に落ちる。
【００２６】
また、空間部７にフィルター１０がある場合は、これによって更なる進入を阻止される。そして、このフィルター１０を通り抜ける雨雪があったとしても、その先に、狭い通気路６で構成される通気ブロック３があり、そこで通気抵抗を受けて、進行を阻止される。なお、通気路６の孔径は、通気ブロック３における通気抵抗が期待する通気性能を阻害しない程度のものとなるように設定されることは言うまでもない。
【００２７】
上述した例では、通気ブロック２、３の側面は、上方から下方に向かって先細になった逆台形状を呈しているが、通気路６の孔径が小の通気ブロック３については、逆に下方から上方に向かって先細になった台形状を呈するように形成することもある（図４）。
【００２８】
かかる構成の通気材１を用いた棟換気材１１においては、通気ブロック２を抜けた雨雪は空間部７において緩衝されて斜め下方に向かう。そして、空間部７を抜けて通気ブロック３に向かう際には勢いをそがれて斜め下方向に進行し、下層の長い通気路６の方に進入していく。従って、雨雪はその通気路６が長い分多くの通気抵抗を受けて、進行を阻まれる。
【００２９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３０】
【図１】本発明に係る通気材の構成例を示す図である。
【図２】本発明に係る棟換気材の構成例を示す図である。
【図３】本発明に係る棟換気材の構成例を示す図である。
【図４】本発明に係る通気材の他の構成例を示す図である。
【図５】従来の棟換気材の構成例を示す図である。
【図６】従来の棟換気材の他の構成例を示す図である。
【図７】従来の棟換気材の更に他の構成例を示す図である。
【符号の説明】
【００３１】
１      通気材
２、３  通気ブロック
４      上面板
５      下面板
６      通気路
７      空間部
８、９  端面閉塞板
１０    フィルター
１１    棟換気材
１２    折曲線
【図１】
2008156933.tif 000003
【図２】
2008156933.tif 000004
【図３】
2008156933.tif 000005
【図４】
2008156933.tif 000006
【図５】
2008156933.tif 000007
【図６】
2008156933.tif 000008
【図７】
2008156933.tif 000009